(57)【要約】  バックライトモジュールであって、光の反射及び屈折原理を利用して、表示デバイス内で往復して反射される光を十分に利用し、上記表示デバイス内の発光デバイスの発光効率を向上させ、また、上記バックライトモジュールは、構造が簡単であり、屈折層又は反射層を追加するだけで、従来のバックライトモジュールを大型表示装置に用いると暗縞や表示輝度ムラが生じることがあるという技術的課題を解決できる。
2022501760.tif 000002
【特許請求の範囲】
【請求項１】
バックライトモジュールであって、
背面板と、複数の基板と、複数の蛍光膜層と、光学膜材とを含み、
前記複数の基板は、前記背面板の上に設置され、
前記基板は互いに隣接して設置され、
前記基板は前記基板の上に設置され且つアレイを形成する複数の発光ダイオードをさらに含み、
前記複数の蛍光膜層は、前記基板の上に設置され且つ前記複数の発光ダイオードを被覆し、
前記光学膜材は、前記蛍光膜層の上に設置され、
前記バックライトモジュールは、前記光学膜材の底部に、隣接する前記蛍光膜層の間の隙間に対応して設置される少なくとも１つの膜層をさらに含むバックライトモジュール。
【請求項２】
前記膜層の幅は隣接する前記蛍光膜層の間の隙間の幅よりも大きい請求項１に記載のバックライトモジュール。
【請求項３】
前記光学膜材は光拡散板又は光拡散膜である請求項１に記載のバックライトモジュール。
【請求項４】
前記膜層は多数の導光網点である請求項１に記載のバックライトモジュール。
【請求項５】
前記膜層は１層の光拡散粒子薄膜である請求項１に記載のバックライトモジュール。
【請求項６】
前記光拡散粒子薄膜の材料はポリメチルメタクリレート、ポリカーボネート及びポリスチレンのうちの１種又は複数種を含む請求項５に記載のバックライトモジュール。
【請求項７】
バックライトモジュールであって、
背面板と、複数の基板と、複数の蛍光膜層と、光学膜材とを含み、
前記複数の基板は、前記背面板上に設置され、
前記基板は互いに隣接して設置され、
前記基板は前記基板の上に設置され且つアレイを形成する複数の発光ダイオードをさらに含み、
前記複数の蛍光膜層は、前記基板の上に設置され且つ前記複数の発光ダイオードを被覆し、
前記光学膜材は、前記蛍光膜層の上に設置され、
前記バックライトモジュールは、前記背面板の上に、隣接する前記蛍光膜層の間の隙間に対応して設置される少なくとも１つの膜層をさらに含む、バックライトモジュール。
【請求項８】
前記膜層の幅は隣接する前記蛍光膜層の間の隙間の幅よりも大きい請求項７に記載のバックライトモジュール。
【請求項９】
前記膜層は１層の高反射率の白色インクである請求項７に記載のバックライトモジュール。
【請求項１０】
前記膜層は高反射率の白色テープである請求項７に記載のバックライトモジュール。
【請求項１１】
バックライトモジュールであって、
背面板と、複数の基板と、複数の蛍光膜層と、光学膜材とを含み、
前記複数の基板は、前記背面板上に設置され、
前記基板は互いに隣接して設置され、
前記基板は前記基板の上に設置され且つアレイを形成する複数の発光ダイオードをさらに含み、
前記複数の蛍光膜層は、前記基板の上に設置され且つ前記複数の発光ダイオードを被覆し、
前記光学膜材は、前記蛍光膜層の上に設置され、
前記バックライトモジュールは、前記光学膜材の底部に、隣接する前記蛍光膜層の間の隙間に対応して設置される少なくとも１つの第１膜層をさらに含み、
前記バックライトモジュールは、前記背面板の上に、隣接する前記蛍光膜層の間の隙間に対応して設置される少なくとも１つの第２膜層をさらに含むバックライトモジュール。
【請求項１２】
前記第１膜層の幅は隣接する前記蛍光膜層の間の隙間の幅よりも大きい請求項１１に記載のバックライトモジュール。
【請求項１３】
前記第２膜層の幅は隣接する前記蛍光膜層の間の隙間の幅よりも大きい請求項１１に記載のバックライトモジュール。
【請求項１４】
前記光学膜材は光拡散板又は光拡散膜である請求項１１に記載のバックライトモジュール。
【請求項１５】
前記第１膜層は多数の導光網点である請求項１１に記載のバックライトモジュール。
【請求項１６】
前記第１膜層は１層の光拡散粒子薄膜である請求項１１に記載のバックライトモジュール。
【請求項１７】
前記光拡散粒子薄膜の材料はポリメチルメタクリレート、ポリカーボネート及びポリスチレンのうちの１種又は複数種を含む請求項１６に記載のバックライトモジュール。
【請求項１８】
前記第２膜層は１層の高反射率の白色インクである請求項１１に記載のバックライトモジュール。
【請求項１９】
前記第２膜層は高反射率の白色テープである請求項１１に記載のバックライトモジュール。
【発明の詳細な説明】
【技術分野】
【０００１】
本発明は表示技術分野に関し、特にバックライトモジュールに関する。
【背景技術】
【０００２】
表示技術の日進月歩に伴い、発光装置、たとえば、有機発光ダイオード（ｏｒｇａｎｉｃ  ｌｉｇｈｔ−ｅｍｉｔｔｉｎｇ  ｄｉｏｄｅ、ＯＬＥＤ）は人々のニーズを満たすために、優れた表示品質を備える必要があるだけでなく、様々なサイズの表示装置に適用できる必要があり、大型表示装置では、ミニ発光ダイオード（ｍｉｎｉ  ｌｉｇｈｔ−ｅｍｉｔｔｉｎｇ  ｄｉｏｄｅ、ｍｉｎｉ  ＬＥＤ）及びマイクロ発光ダイオード（ｍｉｃｒｏ  ｌｉｇｈｔ−ｅｍｉｔｔｉｎｇ  ｄｉｏｄｅ、ｍｉｃｒｏ  ＬＥＤ）がＯＬＥＤよりも低いコスト及び高い歩留まりを備えるため、ＯＬＥＤを代替する次世代表示技術となる見込みがある。
【発明の概要】
【発明が解決しようとする課題】
【０００３】
しかしながら、大型表示装置では、ｍｉｎｉ  ＬＥＤ及びｍｉｃｒｏ  ＬＥＤのバックライトユニットは、複数枚の基板を並べて貼り合わせる方式によって実現する必要があり、バックライトモジュールの厚さがますます薄くなるにつれて、表示装置内部の光混合空間も圧縮され、図１に示すように、ＬＥＤユニット１１及び上記ＬＥＤユニット１１を被覆する蛍光膜１２が基板１０の縁辺まで完全に被覆できないため、基板１０と基板１０との接合部Ａ１から光線が導出されず、上記表示装置の画面に一本一本の暗線が表示されたり、表示輝度を不均一にしたりすることを引き起こす。
【課題を解決するための手段】
【０００４】
従来技術の欠陥に鑑み、本発明は、従来技術のｍｉｎｉ  ＬＥＤ及びｍｉｃｒｏ  ＬＥＤでは基板と基板との接合部に光線が導出されないために上記表示装置の画面に一本一本の暗線が表示されたり、表示輝度を不均一にしたりすることを引き起こすという技術的課題を解決することに用いられるバックライトモジュールを提供する。
【０００５】
上記課題を解決するために、本発明は、１つの背面板、複数の基板、複数の蛍光膜層、及び１つの光学膜材を含み、前記複数の基板は、前記背面板上に設置され、具体的には、前記基板は互いに隣接して設置され、具体的には、前記基板はさらに前記基板の上に設置され且つアレイを形成する複数の発光ダイオードを含み、前記複数の蛍光膜層は、前記基板の上に設置され且つ前記複数の発光ダイオードを被覆し、前記１つの光学膜材は、前記蛍光膜層の上に設置され、具体的には、前記バックライトモジュールは、前記光学膜材の底部に、隣接する前記蛍光膜層の間の隙間に対応してそれぞれ設置される少なくとも１つの膜層をさらに含む、バックライトモジュールを提供する。
【０００６】
具体的には、前記膜層の幅は隣接する前記蛍光膜層の間の隙間の幅よりも大きい。
【０００７】
具体的には、前記光学膜材は１つの光拡散板又は１つの光拡散膜である。
【０００８】
具体的には、前記膜層は多数の導光網点である。
【０００９】
具体的には、前記膜層は１層の光拡散粒子薄膜である。
【００１０】
具体的には、前記光拡散粒子薄膜の材料はポリメチルメタクリレート、ポリカーボネート及びポリスチレンのうちの１種又は複数種を含む。
【００１１】
上記課題を解決するために、本発明はさらに別の、１つの背面板、複数の基板、複数の蛍光膜層、及び１つの光学膜材を含み、前記複数の基板は、前記背面板上に設置され、具体的には、前記基板は互いに隣接して設置され、具体的には、前記基板はさらに前記基板の上に設置され且つアレイを形成する複数の発光ダイオードを含み、前記複数の蛍光膜層は、前記基板の上に設置され且つ前記複数の発光ダイオードを被覆し、前記１つの光学膜材は、前記蛍光膜層の上に設置され、具体的には、前記バックライトモジュールは、前記背面板の上に、隣接する前記蛍光膜層の間の隙間に対応して設置される少なくとも１つの膜層をさらに含む、バックライトモジュールを提供する。
【００１２】
具体的には、前記膜層の幅は隣接する前記蛍光膜層の間の隙間の幅よりも大きい。
【００１３】
具体的には、前記膜層は１層の高反射率の白色インクである。
【００１４】
具体的には、前記膜層は１つの高反射率の白色テープである。
【００１５】
上記課題を解決するために、本発明はさらに別の、１つの背面板、複数の基板、複数の蛍光膜層、及び１つの光学膜材を含み、前記複数の基板は、前記背面板上に設置され、前記基板は互いに隣接して設置され、前記基板はさらに前記基板の上に設置され且つアレイを形成する複数の発光ダイオードを含み、前記複数の蛍光膜層は、前記基板の上に設置され且つ前記複数の発光ダイオードを被覆し、前記１つの光学膜材は、前記蛍光膜層の上に設置され、前記バックライトモジュールは前記光学膜材の底部に、隣接する前記蛍光膜層の間の隙間に対応して設置される少なくとも１つの第１膜層をさらに含み、前記バックライトモジュールは前記背面板の上に、隣接する前記蛍光膜層の間の隙間に対応して設置される少なくとも１つの第２膜層をさらに含む、バックライトモジュールを提供する。
【００１６】
具体的には、前記第１膜層の幅は隣接する前記蛍光膜層の間の隙間の幅よりも大きい。
【００１７】
具体的には、前記第２膜層の幅は隣接する前記蛍光膜層の間の隙間の幅よりも大きい。
【００１８】
具体的には、前記光学膜材は１つの光拡散板又は１つの光拡散膜である。
【００１９】
具体的には、前記第１膜層は多数の導光網点である。
【００２０】
具体的には、前記第１膜層は１層の光拡散粒子薄膜である。
【００２１】
具体的には、前記光拡散粒子薄膜の材料はポリメチルメタクリレート、ポリカーボネート及びポリスチレンのうちの１種又は複数種を含む。
【００２２】
具体的には、前記第２膜層は１層の高反射率の白色インクである。
【００２３】
具体的には、前記第２膜層は１つの高反射率の白色テープである。
【発明の効果】
【００２４】
本発明に係るバックライトモジュールは、構造が簡単であり、１層の反射層又は屈折層を追加することによって、大型表示装置では蛍光膜が基板の縁辺まで完全に被覆できないために前記大型表示装置に暗縞が生じる技術及び表示輝度が不均一になるという課題を解決することができる。
【００２５】
実施例又は従来技術の技術的手段をより明瞭に説明するために、以下、実施例又は従来技術の説明に使用される必要がある図面を簡単に説明する。明らかなように、以下説明される図面は単に発明のいくつかの実施例であり、当業者は創造的な努力をせずに、これらの図面に基づいてほかの図面を想到し得る。
【図面の簡単な説明】
【００２６】
【図１】図１は従来技術のバックライトモジュールの部分構成上面図である。
【図２】図２は本発明の実施例１に係るバックライトモジュールの断面構成図である。
【図３】図３は本発明の実施例２に係るバックライトモジュールの断面構成図である。
【図４】図４は本発明の実施例３に係るバックライトモジュールの断面構成図である。
【発明を実施するための形態】
【００２７】
実施例１
【００２８】
図２に示すように、本実施例はバックライトモジュールを提供し、１つの背面板２０、複数の基板２１、複数の蛍光膜層２３、及び１つの光学膜材２４を含み、上記複数の基板２１は上記背面板２０上に設置され、上記基板２１は互いに隣接して設置され、上記基板２１はさらに上記基板２１の上に設置され且つアレイを形成する複数の発光ダイオード２２を含み、上記複数の蛍光膜層２３は、それぞれ上記基板の上に設置され且つ上記複数の発光ダイオード２２を被覆し、上記１つの光学膜材２４は、上記蛍光膜層２３の上に設置され、上記バックライトモジュールはさらに少なくとも１つの膜層２５を含み、上記光学膜材２４の底部に、隣接する上記蛍光膜層２３の間の隙間に対応して設置される。
【００２９】
具体的には、上記膜層２５の幅Ｄ１は隣接する上記蛍光膜層２３の間の隙間の幅Ｄ２よりも大きいことで、上記バックライトモジュールを用いた表示装置に表示される暗縞を完全に解消できることを確実にし、上記膜層２５は上記複数の発光ダイオード２２が発し且つ上記バックライトモジュール内で往復する光線を集めて暗縞領域の輝度を強化することができ、上記光線を上記バックライトモジュールの上記光学膜材２４上に均一に屈折させることによって、光線が十分に利用され、上記表示装置における暗縞が解消されることを達成する。従って、使用者は上記表示装置で均一な表示輝度を見ることができる。本実施例では、上記膜層２５は多数の導光網点又は１層の光拡散粒子薄膜であってもよく、上記光拡散粒子薄膜の材料はポリメチルメタクリレート、ポリカーボネート及びポリスチレンのうちの１種又は複数種を含むが、これらに限定されず、本発明のほかの実施例では、上記膜層２５は光が通過すると屈折現象が発生する任意の材質であってもよい。
【００３０】
具体的には、上記基板２１はフレキシブル基板、リジッド基板又は任意の形態の基板であってもよく、本実施例では、上記基板２１はフレキシブル基板であり、上記複数の発光ダイオード２２は青色発光ダイオードであり、上記蛍光膜層２３は黄色蛍光膜層であり、上記黄色蛍光膜層を上記青色発光ダイオードに被覆することによって、白色光バックライトモジュールを実現できる。上記光学膜材２４は光拡散板又は光拡散層であってもよい。
【００３１】
実施例２
【００３２】
図３に示すように、本発明の別の実施例はバックライトモジュールを提供し、１つの背面板３０、複数の基板３１、複数の蛍光膜層３３、及び１つの光学膜材３４を含み、上記複数の基板３１は上記背面板３０上に設置され、上記基板３１は互いに隣接して設置され、上記基板３１はさらに上記基板３１の上に設置され且つアレイを形成する複数の発光ダイオード３２を含み、上記複数の蛍光膜層３３は、それぞれ上記基板の上に設置され且つ上記複数の発光ダイオード３２を被覆し、上記１つの光学膜材３４は、上記蛍光膜層３３の上に設置され、上記バックライトモジュールはさらに少なくとも１つの膜層３５を含み、上記背面板３０の上に、隣接する上記蛍光膜層３３の間の隙間に対応して設置される。
【００３３】
具体的には、上記膜層３５の幅Ｄ３は隣接する上記蛍光膜層３３の間の隙間の幅Ｄ４よりも大きいことで、上記バックライトモジュールを用いた表示装置に表示される暗縞を完全に解消できることを確実にし、上記膜層３５は上記複数の発光ダイオード３２が発し且つ上記バックライトモジュール内で往復する光線を反射して暗縞領域の輝度を強化することができ、上記光線を上記バックライトモジュールの上記光学膜材３４上に均一に反射させることによって、光線が十分に利用され、上記表示装置における暗縞が解消されることを達成する。従って、使用者は上記表示装置で均一な表示輝度を見ることがでる。本実施例では、上記膜層３５は高反射率を有する１層の白色インク又は高反射率を有する１本の白色テープであってもよく、本発明のほかの実施例では、上記膜層３５は高反射率を有する任意の材料であってもよい。
【００３４】
具体的には、上記基板３１はフレキシブル基板、リジッド基板又は任意の形態の基板であってもよく、本実施例では、上記基板３１はフレキシブル基板であり、上記複数の発光ダイオード３２は青色発光ダイオードであり、上記蛍光膜層３３は黄色蛍光膜層であり、上記黄色蛍光膜層を上記青色発光ダイオードに被覆することによって、白色光バックライトモジュールを実現できる。上記光学膜材３４は光拡散板又は光拡散層であってもよい。
【００３５】
実施例３
【００３６】
図４に示すように、本発明の別の実施例はバックライトモジュールを提供し、１つの背面板４０、複数の基板４１、複数の蛍光膜層４３、及び１つの光学膜材４４を含み、上記複数の基板４１は上記背面板４０上に設置され、上記基板４１は互いに隣接して設置され、上記基板４１はさらに上記基板４１の上に設置され且つアレイを形成する複数の発光ダイオード４２を含み、上記複数の蛍光膜層４３は、それぞれ上記基板の上に設置され且つ上記複数の発光ダイオード４２を被覆し、上記１つの光学膜材４４は上記蛍光膜層４３の上に設置され、上記バックライトモジュールはさらに少なくとも１つの第１膜層４５、及び少なくとも１つの第２膜層４６を含み、上記少なくとも１つの第１膜層４５は上記光学膜材４４の底部に、隣接する上記蛍光膜層４３の間の隙間に対応して設置され、上記少なくとも１つの第２膜層４６は、上記背面板４０の上に、隣接する上記蛍光膜層４３の間の隙間に対応して設置される。
【００３７】
具体的には、上記第１膜層４５の幅Ｄ５は隣接する上記蛍光膜層４３の間の隙間の幅Ｄ６よりも大きく、上記第２膜層４６の幅Ｄ７も隣接する上記蛍光膜層４３の間の隙間の幅Ｄ６よりも大きいことで、上記バックライトモジュールを用いた表示装置に表示される暗縞を完全に解消できることを確実にする。上記第１膜層４５は上記複数の発光ダイオード４２が発し、且つ上記バックライトモジュール内で往復する光線を集めて暗縞領域の輝度を強化することができ、且つ上記光線を上記バックライトモジュールの上記光学膜材４４上に均一に屈折させ、上記第２膜層４６は上記複数の発光ダイオード４２が発し且つ上記バックライトモジュール内で往復する光線を反射して暗縞領域の輝度を強化することができ、且つ上記光線を上記バックライトモジュールの上記光学膜材４４上に均一に反射することによって、光線が十分に利用され、上記表示装置における暗縞が解消されることを達成する。従って、使用者は上記表示装置で均一な表示輝度を見ることができる。本実施例では、上記第１膜層４５は多数の導光網点又は１層の光拡散粒子薄膜であってもよく、上記光拡散粒子薄膜の材料はポリメチルメタクリレート、ポリカーボネート及びポリスチレンのうちの１種又は複数種を含むが、これらに限定されず、上記第２膜層４６は高反射率を有する１層の白色インク又は高反射率を有する１本の白色テープであってもよい。本発明のほかの実施例では、上記第１膜層４５は光が通過すると屈折現象が発生する任意の材質であってもよく、上記第２膜層４６は高反射率を有する任意の材料であってもよい。
【００３８】
具体的には、上記基板４１はフレキシブル基板、リジッド基板又は任意の形態の基板であってもよく、本実施例では、上記基板４１はフレキシブル基板であり、上記複数の発光ダイオード４２は青色発光ダイオードであり、上記蛍光膜層４３は黄色蛍光膜層であり、上記黄色蛍光膜層を上記青色発光ダイオードに被覆することによって、白色光バックライトモジュールを実現でき、上記光学膜材４４は光拡散板又は光拡散層であってもよい。
【００３９】
本発明の実施例に係るバックライトモジュールは、光の反射及び屈折原理を利用して、上記バックライトモジュール内で往復して反射される光を十分に利用し、上記バックライトモジュールの内部発光デバイスの発光効率を向上させ、また、本発明に係るバックライトモジュールは、構造が簡単であり、屈折層又は反射層を追加するだけで、従来のバックライトモジュールを大型表示装置に用いると暗縞や表示輝度ムラが生じるという技術的課題を解決できる。
【００４０】
上記のように、好適実施例を参照しながら本願を開示したが、上記好適実施例は本願を限定するものではなく、当業者は本願の精神及び範囲を逸脱せずに種々の変更や修飾を行うことができ、従って、本願の保護範囲は特許請求の範囲に定められる範囲に準じるべきである。
【符号の説明】
【００４１】
１０  基板
１１  ＬＥＤユニット
１２  蛍光膜
２０  背面板
２１  基板
２２  発光ダイオード
２３  蛍光膜層
２４  光学膜材
２５  膜層
３０  背面板
３１  基板
３２  発光ダイオード
３３  蛍光膜層
３４  光学膜材
３５  膜層
４０  背面板
４１  基板
４２  発光ダイオード
４３  蛍光膜層
４４  光学膜材
４５  第１膜層
４６  第２膜層
【図１】
2022501760.tif 000003
【図２】
2022501760.tif 000004
【図３】
2022501760.tif 000005
【図４】
2022501760.tif 000006
【国際調査報告】
2022501760.tif 000007
2022501760.tif 000008
2022501760.tif 000009
2022501760.tif 000010
2022501760.tif 000011